(57)【要約】【課題】便器形成部品の接合部分に意図的に機能性を付与することにより機能性の高い便器を提供する。【解決手段】複数の便器形成部品Ｐ、Ｐ…を組み立てて形成される便器１に関する。便器形成部品Ｐの接合部分Ｓに機能性部品Ｐｆを取り付けるための段部２０を形成する。便器形成部品Ｐの接合部分Ｓを利用して機能性部品Ｐｆを取り付けて意図的に機能性を付与することができる。【選択図】図１
2009174265.tif 000002
【特許請求の範囲】
【請求項１】
複数の便器形成部品を組み立てて形成される便器において、便器形成部品の接合部分に機能性部品を取り付けるための段部を形成して成ることを特徴とする便器。
【請求項２】
機能性部品が意匠性を付与するための意匠部品であることを特徴とする請求項１に記載の便器。
【請求項３】
機能性部品がセンサ部品であることを特徴とする請求項１に記載の便器。
【請求項４】
機能性部品が小便の飛び散りを防止するための飛散防止カバーであって、段部に飛散防止カバーを着脱自在に取り付けて成ることを特徴とする請求項１に記載の便器。
【発明の詳細な説明】
【技術分野】
【０００１】
本発明は、水洗用便器などとして用いられる便器に関するものである。
【背景技術】
【０００２】
従来より、複数の便器形成部品を組み立てて便器を形成することが行われている（例えば、特許文献１参照）。このような便器１では、水平断面略Ｃ字状をしたスカート部３と、スカート部３内の上部に嵌め込んで接着一体化されたボウル部４と、更にボウル部４の上に嵌め込んでボウル部４の上端縁部及びスカート部３の上端縁部に接着一体化されたリム部５とで構成されている（図２参照）。
【０００３】
図７にスカート部３とボウル部４及びリム部５の接合部分の一例を示す。ボウル部４の上端にはフランジ６が突設されている。また、リム部５は外側に向かって開口する断面略コ字状に形成されており、その下片５５ａはフランジ６の上面に接着されていると共にリム部５の上片５５ｂはスカート部３の上端に接着されている。
【特許文献１】特開２００６−３２８８２７号公報
【発明の開示】
【発明が解決しようとする課題】
【０００４】
しかし、上記のような従来例において、便器形成部品Ｐの接合部分に意図的に機能性を付与したものは無かった。
【０００５】
本発明は上記の点に鑑みてなされたものであり、便器形成部品の接合部分に意図的に機能性を付与することにより機能性の高い便器を提供することを目的とするものである。
【課題を解決するための手段】
【０００６】
本発明の請求項１に係る便器１は、複数の便器形成部品Ｐ、Ｐ…を組み立てて形成される便器１において、便器形成部品Ｐの接合部分Ｓに機能性部品Ｐｆを取り付けるための段部２０を形成して成ることを特徴とするものである。
【０００７】
本発明の請求項２に係る便器１は、請求項１において、機能性部品Ｐｆが意匠性を付与するための意匠部品２１であることを特徴とするものである。
【０００８】
本発明の請求項３に係る便器１は、請求項１において、機能性部品Ｐｆがセンサ部品２２であることを特徴とするものである。
【０００９】
本発明の請求項４に係る便器１は、請求項１において、機能性部品Ｐｆが小便の飛び散りを防止するための飛散防止カバー２４であって、段部２０に飛散防止カバー２４を着脱自在に取り付けて成ることを特徴とするものである。
【発明の効果】
【００１０】
請求項１の発明では、便器形成部品Ｐの接合部分Ｓを利用して機能性部品Ｐｆを取り付けて意図的に機能性を付与することができ、機能性の高い便器１を提供することができるものである。
【００１１】
請求項２の発明では、便器形成部品Ｐの接合部分Ｓを利用して意匠部品２１を機能性部品Ｐｆとして取り付けることができ、意匠性の高い便器１を提供することができるものである。
【００１２】
請求項３の発明では、便器形成部品Ｐの接合部分Ｓを利用してセンサ部品２２を機能性部品Ｐｆとして取り付けることができ、機能性の高い便器１を提供することができるものである。
【００１３】
請求項４の発明では、便器形成部品Ｐの接合部分Ｓを利用して飛散防止カバー２４を機能性部品Ｐｆとして取り付けることができ、小便の飛散を防止できる便器１を提供することができるものである。
【発明を実施するための最良の形態】
【００１４】
以下、本発明を実施するための最良の形態を説明する。
【００１５】
図２（ａ）（ｂ）に示す便器１は、ボウル部４と、ボウル部４の外側面を覆うスカート部３と、ボウル部４及びスカート部５の上側に配設されるリム部５を備えたものである。ボウル部４とスカート部３とリム部５とはそれぞれ独立した合成樹脂製の便器形成部品Ｐとして形成することができ、これら便器形成部品Ｐを接着して一体化することにより便器１を組み立てることができる。便器形成部品Ｐを形成するための合成樹脂としては、アクリル樹脂や補強材入りＡＢＳ、ＰＢＴ等を例示することができる。
【００１６】
ボウル部４は上面が開口する椀状部１０の下部に後方に向けて排水筒部１１を一体に突出して形成されている。椀状部１０には段差部１２が上面開口よりもやや下側部分に周方向に亘って形成されており、段差部１２よりも上側部分は接続部１３として形成されている。この接続部１３の径は、段差部１２の下側部分の径よりも大きく形成されている。
【００１７】
スカート部３は、上側に向かう程、徐々に開口径が大きくなる勾配を有して水平断面略Ｃ字状に形成されている。
【００１８】
リム部５は平面視で略Ｃ字状の前部５ａと、前部５ａの後端間に一体的に連設される後部５ｂとから形成されている。前部５ａは内周部１５と外周部１６とで構成されており、外周部１６は内周部１５よりも厚みが薄くて内周部１５の外側に突出して形成されている。また、後部５ｂは断面略コ字状に形成されており、その上面には便座や便蓋を取り付けるための取付部１７が突設されている。
【００１９】
上記３つの便器形成部品Ｐ、Ｐ…を接着一体化するには熱溶着や接着剤などを用いることができる。この場合、スカート部３の内側にボウル部４を嵌め込み、スカート部３の上端とボウル部４の上端とを位置合わせして揃えた状態で、スカート部３の上端部の内面とボウル部４の接続部１３の外面とを密着する。これにより、ボウル部４の前部から側部を覆うようにスカート部３が配設されている。また、スカート部３の上端とボウル部４の上端とにわたるようにリム部５の前部５ａの外周部１６を載置した状態で、スカート部３の上端とボウル部４の上端と外周部１６の下面とを接着することができる。このようにしてリム部５を取り付けると、ボウル部４の上面開口の内側に沿って内周部１５が配置される。また、リム部５の後部５ｂはボウル部４の後部の上端と接着する。
【００２０】
上記のように形成される便器１には、スカート部３とボウル部４とリム部５の上記接合部分Ｓに段部２０が設けられている。図３に示すものでは、リム部５の外周部１６の外面の下端部とスカート部３の外面の上端部とにわたって段部２０が凹設されている。また、この段部２０は便器１のほぼ全周にわたって設けることができる。
【００２１】
そして、本発明では、この段部２０に機能性部品Ｐｆを取り付けるようにする。図１（ａ）（ｂ）のものでは、機能性部品Ｐｆとして意匠性を付与するための意匠部品２１を段部２０に取り付けている。この意匠部品２１はポリプロピレンなどの樹脂材料等で形成されるものであって、この樹脂材料を段部２０に充填して取り付けることができる。また、意匠部品２１はバンド（帯状）やテープ等の形状に形成することができ、これにより、便器１のほぼ全周にわたって設けた段部２０に意匠部品２１を取り付けやすくなるものである。また、意匠部品２１に公知の蓄光顔料を含有させたりＬＥＤなどの光源を設けたりすることで、意匠性の付与に加えて、便器１の外周にライン上に光る部分を形成することができ、暗い部屋でも覚醒させることなく小便の標的とすることができるものである。尚、段部２０の断面形状は特に限定されず、図４のように、上下に突出凹部２０ａ、２０ａと設けた段部２０であっても良い。
【００２２】
また、本発明では、段部２０にセンサ部品２２を機能性部品Ｐｆとして取り付けることができる。ここで、センサ部品２２は便蓋を自動的に開閉するなどの目的で人体を検知するために設けられるものであって、例えば、光センサなどのセンサ２５と、ポリプロピレンなどの樹脂材料等で帯状に形成される保持部材２６と、フレキシブルな配線２７とで構成することができる。そして、図５（ａ）（ｂ）に示すように、センサ部品２２の保持部材２６を段部２０に充填すると共に保持部材２６に配線２７を埋設し、さらに保持部材２６の表面にセンサ２５を露出させた状態で取り付けると共にこのセンサ２５を配線２７に接続することによって、センサ部品２２を便器１の段部２０に取り付けることができる。尚、配線２７はマイクロコンピュータなどを備えた制御手段に接続されており、センサ２５で得られたデータは配線２７を通じて制御手段に入力され、制御手段がこの入力されたデータに基づいて便蓋の開閉などの動作の制御を行うものである。
【００２３】
また、本発明では、段部２０に小便の飛び散りを防止するための飛散防止カバー２４を機能性部品Ｐｆとして取り付けることができる。飛散防止カバー２４はエラストマーなどの弾性材料でシート状に形成されるものであって、図６（ｃ）に示すように、飛散防止カバー２４の一方の側端部に形成した取着部２４ａを段部２０に差し込んで保持させることによって、便器１の前部５ａの先端部分を囲うように取り付けることができる。この飛散防止カバー２４は、通常（不使用時）は図６（ａ）に示すように便器１の上面よりも下側に押し下げた状態であるが、小便時には図６（ｂ）に示すように便器１の上面よりも上側に押し上げた状態で使用するものであり、これにより、便器１からの小便の飛び散りを飛散防止カバー２４で防止することができるものである。このような飛散防止カバー２４の上下動はその基部のヒンジ部２４ｂを変形させることによって行うことができる。また、飛散防止カバー２４は汚れると、取着部２４ａを変形させながら便器１の段部２０から取り外し、飛散防止カバー２４の全体を洗浄して再使用することができる。
【００２４】
上記のように本発明では機能性部品Ｐｆを段部２０に取り付けることで、スカート部３の上端面とリム部５の下面との接合界面部分を機能性部品Ｐｆで覆うことができ、接合時に生じるバリを少なくしてバリ取りなどの仕上げ作業を軽減することができる。従って、便器１の仕上げを容易に行うことができるものである。
【図面の簡単な説明】
【００２５】
【図１】本発明の実施の形態の一例を示し、（ａ）は斜視図、（ｂ）は一部の断面図である。
【図２】同上の（ａ）は分解斜視図、（ｂ）は斜視図である。
【図３】同上の一部を示す断面図である。
【図４】同上の一部を示す断面図である。
【図５】同上の他の実施の形態の一例を示し、（ａ）は一部の正面図、（ｂ）は一部の断面図である。
【図６】同上の他の実施の形態を示し、（ａ）（ｂ）は斜視図、（ｃ）は一部の断面図である。
【図７】従来例を示す一部の断面図である。
【符号の説明】
【００２６】
Ｐ  便器形成部品
Ｐｆ  機能性部品
１  便器
２０  段部
２１  意匠部品
２２  センサ部品
２４  飛散防止カバー
【図１】
2009174265.tif 000003
【図２】
2009174265.tif 000004
【図３】
2009174265.tif 000005
【図４】
2009174265.tif 000006
【図５】
2009174265.tif 000007
【図６】
2009174265.tif 000008
【図７】
2009174265.tif 000009